(57)【要約】【課題】結合手段の隠ぺい手段や筺体を傷つけることなく、容易に筺体から隠ぺい手段を取り外すことができる筺体構造を提供する。【解決手段】隠ぺい手段２０２は、第１の空間２０５を形成する形状の切り欠き部２０８を側面に含み、接着部材２０３によって、第１の空間２０５に接続される第２の空間２０６を形成可能に、筺体２０４の表面に接着される。接着部材２０３には、第２の空間２０６を介して第１の空間２０５に接続された第３の空間２０７を形成する凹形状部が設けられている。接着手段２０３は、平面状への復元力を有する可撓性平面体２０９が第１の空間２０５および第２の空間２０６を介して第３の空間２０７に侵入した場合に、可撓性平面体２０９の平面状への復元力により筺体２０４から隠ぺい手段２０２を剥離可能に、筺体２０４に隠ぺい手段２０２を接着する。【選択図】図７
2011086849.tif 000002
【特許請求の範囲】
【請求項１】
結合手段によって筺体と他の筺体とが互いに固定される筺体構造であって、
前記結合手段を覆う板状体である隠ぺい手段と、
前記筺体の表面に前記隠ぺい手段を接着する接着部材と、
前記筺体に設けられ、前記隠ぺい手段に接する面であって、前記筺体の表面から立ち上がる面である側面と、前記隠ぺい手段が前記接着部材によって接着された場合に、当該隠ぺい手段によって上方を覆われる部分を有する上面とを含む突出部とを備え、
前記隠ぺい手段は、前記突出部の前記上面の上方に、第１の空間を形成するように当該突出部を覆う凸部と、前記凸部の下方に、前記突出部の側面に当接する側面を有する切り欠き部とを含み、
前記凸部は、前記隠ぺい手段が前記接着部材によって接着された場合に、当該凸部の先端部と、前記筺体または前記筺体に設置された他の部品との間に、前記第１の空間に屈曲して接続される空隙を形成するように設けられ、
前記隠ぺい手段は、前記筺体の表面に沿う方向に移動して、前記切り欠き部の側面と前記突出部の側面との間に、前記第１の空間に屈曲して接続される第２の空間を形成可能に、前記筺体の表面に前記接着部材によって接着され、
前記接着部材は、側面に凹形状部を有し、
当該凹形状部の内壁、前記隠ぺい手段の底面および前記筺体の表面に囲まれ、前記第２の空間に屈曲して接続される第３の空間が形成され、
前記隠ぺい手段は、平面状への復元力を有する可撓性平面体が前記空隙、前記第１の空間および前記第２の空間を介して前記第３の空間に挿入された場合に、前記可撓性平面体の平面状への復元力により前記筺体から剥離可能に、前記接着部材によって前記筺体に接着される
ことを特徴とする筺体構造。
【請求項２】
隠ぺい手段は、可撓性平面体が空隙を介して第１の空間に挿入されて、前記可撓性平面体の端部によって当該隠ぺい手段における切り欠き部の側面に筺体の表面に沿う方向に力が加えられると、当該隠ぺい手段が前記筺体の表面に沿う方向に移動可能に、接着部材によって前記筺体の表面に接着される
請求項１記載の筺体構造。
【請求項３】
突出部の上面と側面とは平面または曲面を介して接続され、
隠ぺい手段の凸部の先端部と切り欠き部の上面、前記切り欠き部の上面と前記切り欠き部の側面、および前記切り欠き部の側面と前記隠ぺい手段の底面とは、平面または曲面を介して接続される
請求項１または請求項２記載の筺体構造。
【請求項４】
接着部材は、薄膜状の基材の両面に接着材が塗布された両面テープである
請求項１から請求項３のうちいずれか１項記載の筺体構造。
【請求項５】
結合手段はねじである
請求項１から請求項４のうちいずれか１項記載の筺体構造。
【請求項６】
結合手段によって筺体と他の筺体とが互いに固定される構造を有する電子機器であって、
前記結合手段を覆う板状体である隠ぺい手段と、
前記筺体の表面に前記隠ぺい手段を接着する接着部材と、
前記筺体に設けられ、前記隠ぺい手段に接する面であって、前記筺体の表面から立ち上がる面である側面と、前記隠ぺい手段が前記接着部材によって接着された場合に、当該隠ぺい手段によって上方を覆われる部分を有する上面とを含む突出部とを備え、
前記隠ぺい手段は、前記突出部の前記上面の上方に、第１の空間を形成するように当該突出部を覆う凸部と、前記凸部の下方に、前記突出部の側面に当接する側面を有する切り欠き部とを含み、
前記凸部は、前記隠ぺい手段が前記接着部材によって接着された場合に、当該凸部の先端部と、前記筺体または前記筺体に設置された他の部品との間に、前記第１の空間に屈曲して接続される空隙を形成するように設けられ、
前記隠ぺい手段は、前記筺体の表面に沿う方向に移動して、前記切り欠き部の側面と前記突出部の側面との間に、前記第１の空間に屈曲して接続される第２の空間を形成可能に、前記筺体の表面に前記接着部材によって接着され、
前記接着部材は、側面に凹形状部を有し、
当該凹形状部の内壁、前記隠ぺい手段の底面および前記筺体の表面に囲まれ、前記第２の空間に屈曲して接続される第３の空間が形成され、
前記隠ぺい手段は、平面状への復元力を有する可撓性平面体が前記空隙、前記第１の空間および前記第２の空間を介して前記第３の空間に挿入された場合に、前記可撓性平面体の平面状への復元力により前記筺体から剥離可能に、前記接着部材によって前記筺体に接着される
ことを特徴とする電子機器。
【請求項７】
隠ぺい手段は、可撓性平面体が空隙を介して第１の空間に挿入されて、前記可撓性平面体の端部によって当該隠ぺい手段における切り欠き部の側面に筺体の表面に沿う方向に力が加えられると、当該隠ぺい手段が前記筺体の表面に沿う方向に移動可能に、前記筺体の表面に接着部材によって接着される
請求項６記載の電子機器。
【発明の詳細な説明】
【技術分野】
【０００１】
本発明は、結合手段によって筺体と他の筺体とが互いに固定される機器において、当該結合手段を隠ぺいする筺体構造、および当該筺体構造を有する電子機器に関する。
【背景技術】
【０００２】
外装部材の固定にねじが用いられる装置がある。外装部材を固定するためのねじが外部から視認されるような構造は、装置の美観を損ねるおそれがある。
【０００３】
そこで、ねじを隠ぺいするために、裏に糊の付いた紙やプラスチックフィルム（いわゆる、ねじ目隠しシール）が用いられることがある。図８は、ねじ目隠しシールが用いられてねじが隠ぺいされる例を示す外観斜視図である。
【０００４】
図８に示す例では、ねじ目隠しシール６がねじ４の上方に貼付されることによって、ねじ４が隠ぺいされる。
【０００５】
また、ねじ４を隠ぺいするために、装飾が施された成型品２０が用いられることがある。図９は、成型品２０が用いられてねじ４が隠ぺいされた例を示す外観斜視図である。
【０００６】
図９に示す例では、成型品２０がねじ４（図９において図示せず）の上方に設置されることによって、ねじ４が隠ぺいされている。
【０００７】
装置を修理等するために当該装置を解体するときに、ねじ４を外す作業を行うことがあり、ねじ４を外すためには、図８に示すねじ目隠しシール６や図９に示す成型品２０を外す必要がある。
【０００８】
図１０は、ねじ目隠しシール６や成型品２０を外す作業の例を示す説明図である。図８や図９に示すように、図８に示すねじ目隠しシール６や図９に示す成型品２０には、ねじ目隠しシール６または成型品２０と外装部材との間にピンセット等の先端を挿入するための切り欠き（切り欠き６１，切り欠き２４）がそれぞれ設けられている。そして、図１０に示すように、ねじ目隠しシール６や成型品２０を外す場合には、当該切り欠きにピンセット７を挿入して、外装部材１０からねじ目隠しシール６や成型品２０を剥離する。
【０００９】
特許文献１には、ねじの上方に当該ねじを隠ぺいするための蓋が用いられた携帯端末が記載されている。特許文献１に記載されている携帯端末には、蓋の側面まで貫通する穴が設けられており、携帯端末を解体等する場合には、当該穴に棒が挿入され、棒の先端で蓋が外される。
【００１０】
特許文献２には、ねじの上方に当該ねじを隠ぺいするための蓋が用いられた電子機器が記載されている。特許文献２に記載されている電子機器の蓋は、一部が他の部分よりも薄く成型されており、電子機器を解体等する場合には、当該薄く成型されている部分に鋭利な部材を突き通して棒が挿入され、棒の先端で蓋が外される。
【先行技術文献】
【特許文献】
【００１１】
【特許文献１】特開２００１−２４７６３号公報（段落００１５〜００２４、図４）
【特許文献２】特許第４２４８４９８号明細書（段落００３２〜００５９、図６）
【発明の概要】
【発明が解決しようとする課題】
【００１２】
ねじ目隠しシール６や成型品２０に設けられている切り欠き（切り欠き６１，切り欠き２４）は、装置のデザインの自由度を制限し、装置の美観を損ねるおそれがある。
【００１３】
また、図１０に示すように、当該切り欠きにピンセット７を挿入してねじ目隠しシール６や成型品２０を外す場合には、外装部材１０においてピンセット７に接触する支点７１を傷つけるおそれがある。また、ねじ目隠しシール６や成型品２０を傷つけるおそれがある。そして、外装部品１０や、ねじ目隠しシール６、成型品２０が傷つくと、本来交換しなくてもよい部材を交換する必要が生じ、作業工数や部材費用が増加する。
【００１４】
特許文献１に記載されている携帯端末では、筺体の端部から遠い領域にねじが設置される場合に、蓋の側面まで貫通する穴が長くなり、筺体内の部品配置等が制約されるおそれがあるので、より容易に蓋を外すことができる構成が望ましい。
【００１５】
特許文献２に記載されている電子機器は、解体等する場合には鋭利な部材で蓋を突き通すことにより破壊しなければならない。従って、再組み立て時には新たな蓋を用意しなければならず、部材費用が増加するという問題がある。
【００１６】
本発明は、機器の美観を損ねずに、結合手段を隠ぺいすることができる筺体構造および電子機器を提供することを目的とする。
【課題を解決するための手段】
【００１７】
本発明による筺体構造は、結合手段によって筺体と他の筺体とが互いに固定される筺体構造であって、結合手段を覆う板状体である隠ぺい手段と、筺体の表面に隠ぺい手段を接着する接着部材と、筺体に設けられ、隠ぺい手段に接する面であって、筺体の表面から立ち上がる面である側面と、隠ぺい手段が接着部材によって接着された場合に、当該隠ぺい手段によって上方を覆われる部分を有する上面とを含む突出部とを備え、隠ぺい手段は、突出部の上面の上方に、第１の空間を形成するように当該突出部を覆う凸部と、凸部の下方に、突出部の側面に当接する側面を有する切り欠き部とを含み、凸部は、隠ぺい手段が接着部材によって接着された場合に、当該凸部の先端部と、筺体または筺体に設置された他の部品との間に、第１の空間に屈曲して接続される空隙を形成するように設けられ、隠ぺい手段は、筺体の表面に沿う方向に移動して、切り欠き部の側面と突出部の側面との間に、第１の空間に屈曲して接続される第２の空間を形成可能に、筺体の表面に接着部材によって接着され、接着部材は、側面に凹形状部を有し、当該凹形状部の内壁、隠ぺい手段の底面および筺体の表面に囲まれ、第２の空間に屈曲して接続される第３の空間が形成され、隠ぺい手段は、平面状への復元力を有する可撓性平面体が空隙、第１の空間および第２の空間を介して第３の空間に挿入された場合に、可撓性平面体の平面状への復元力により筺体から剥離可能に、接着部材によって筺体に接着されることを特徴とする。
【００１８】
本発明による電子機器は、結合手段によって筺体と他の筺体とが互いに固定される構造を有する電子機器であって、結合手段を覆う板状体である隠ぺい手段と、筺体の表面に隠ぺい手段を接着する接着部材と、筺体に設けられ、隠ぺい手段に接する面であって、筺体の表面から立ち上がる面である側面と、隠ぺい手段が接着部材によって接着された場合に、当該隠ぺい手段によって上方を覆われる部分を有する上面とを含む突出部とを備え、隠ぺい手段は、突出部の上面の上方に、第１の空間を形成するように当該突出部を覆う凸部と、凸部の下方に、突出部の側面に当接する側面を有する切り欠き部とを含み、凸部は、隠ぺい手段が接着部材によって接着された場合に、当該凸部の先端部と、筺体または筺体に設置された他の部品との間に、第１の空間に屈曲して接続される空隙を形成するように設けられ、隠ぺい手段は、筺体の表面に沿う方向に移動して、切り欠き部の側面と突出部の側面との間に、第１の空間に屈曲して接続される第２の空間を形成可能に、筺体の表面に接着部材によって接着され、接着部材は、側面に凹形状部を有し、当該凹形状部の内壁、隠ぺい手段の底面および筺体の表面に囲まれ、第２の空間に屈曲して接続される第３の空間が形成され、隠ぺい手段は、平面状への復元力を有する可撓性平面体が空隙、第１の空間および第２の空間を介して第３の空間に挿入された場合に、可撓性平面体の平面状への復元力により筺体から剥離可能に、接着部材によって筺体に接着されることを特徴とする。
【発明の効果】
【００１９】
本発明によれば、美観を損ねずに結合手段を隠ぺいし、結合手段の隠ぺい手段や筺体を傷つけることなく容易に筺体から隠ぺい手段を取り外すことができる。
【図面の簡単な説明】
【００２０】
【図１】本発明の実施形態の筺体構造を備えた電子機器の概略を示す外観斜視図である。
【図２】電子機器におけるねじおよびねじ目隠し板が設置される部分を示す断面図である。
【図３】ねじ目隠し板の構成例を示す分解斜視図である。
【図４】電子機器において、成型品が両面テープを介して筺体に貼付されている部分を示す断面図である。
【図５】成型品と筺体および他部品との間に設けられた空間にフィルムの端部が挿入されて、筺体から成型品を取り外す方法を説明する断面図である。
【図６】曲面状に変形したフィルムに生じる復元力を示す断面図である。
【図７】本発明の筺体構造の概要を説明する断面図である。
【図８】ねじ目隠しシールが用いられてねじが隠ぺいされる例を示す外観斜視図である。
【図９】成型品が用いられてねじが隠ぺいされた例を示す外観斜視図である。
【図１０】ねじ目隠しシールや成型品を外す作業の例を示す説明図である。
【発明を実施するための形態】
【００２１】
本発明の実施形態の筺体構造について、図面を参照して説明する。図１は、本発明の実施形態の筺体構造を備えた電子機器１００の概略を示す外観斜視図である。なお、本実施形態では、結合手段はねじであるとして説明するが、ボルトやナット、クリップ等であってもよい。
【００２２】
図１に示すように、本実施形態の電子機器１００は、筺体１とねじ目隠し板２とを含む携帯電話機である。電子機器１００は、携帯型ゲーム機等の他の電子機器であってもよい。ねじ目隠し板２は、筺体１において、ねじ４が設置されている部分を覆うように設置される。具体的には、ねじ目隠し板２は、例えば、電子機器１００の使用者が、筺体１と電子機器１００の他の筺体（電子機器１００に搭載される他の部品であってもよい）とを結合するためのねじ４を視認困難なように、ねじ４が設置されている部分を覆うように設置される。
【００２３】
また、ねじ目隠し板２は、筺体１に設置された他部品（図１に示す例ではカメラのレンズの周囲を囲む成型部材）１２との間に隙間（空隙）を有するように近接した場所に設置される。そして、ねじ目隠し板２は、当該隙間にフィルム（可撓性平面体）３が挿入されることによって、取り外される。なお、筺体１に設置された他部品１２との間の隙間の広さは、電子機器１００の外観に影響を与えるので、フィルム３を挿入することが可能な範囲で狭いことが望ましい。なお、図１に示す例では、ねじ目隠し板２が、他部品１２との間に隙間を有するように近接して設置されているが、ねじ目隠し板２が、筺体１において表面が隆起されて形成されている部分との間に隙間を有するように近接して設置されていてもよい。
【００２４】
図２は、電子機器１００におけるねじ４およびねじ目隠し板２が設置される部分を示す断面図である。
【００２５】
図２に示すように、筺体１には、凹部であるねじ穴１３が設けられている。筺体１はねじ穴１３の底部でねじ４によって他の筺体と結合される。
【００２６】
そして、図２に示すように、ねじ穴１３の上方はねじ目隠し板２によって覆われ、ねじ４（およびねじ穴１３）が電子機器１００の使用者によって視認困難なように構成されている。
【００２７】
図３は、ねじ目隠し板２の構成例を示す分解斜視図である。図３に示すように、ねじ目隠し板２は、成型品（隠ぺい手段）２１、および両面テープ（接着部材）２２を含む。
【００２８】
成型品２１は、筺体１においてねじ４が設置されている部分に応じた形状および大きさに成型された板状体である。成型品２１の表面（両面テープ２２が貼付される面に反対側の面）には、装飾が施されていてもよい。図３に示す例では、成型品２１の形状は、一辺に円弧状の凹部２４を有する長方形状である。
【００２９】
また、成型品２１において、凹部２４の円弧に近接する領域の下面（両面テープ２２が貼付される面。底面ともいう。）側には、後述するリブ（突出部）１１の形状（高さおよび厚さ）に応じた形状（高さおよび深さ）の切り欠き（切り欠き部）２５（図３において図示せず。）が設けられている。なお、凹部２４の表面側（つまり、切り欠かれていない部分）が凸部である。
【００３０】
両面テープ２２は、基材の両面に接着材が塗布され、成型品２１の下面形状に応じた形状に成型されている。なお、図３に示すように、両面テープ２２において、凹部２４の円弧に対応する部分には、凹形状の切り欠き（凹形状部）２３が設けられている。
【００３１】
図４は、電子機器１００において、成型品２１が両面テープ２２を介して筺体１に貼付されている部分を示す断面図である。図４に示すように、成型品２１の下面は、筺体１の表面に両面テープ２２で貼付されている。そして、両面テープ２２において切り欠き２３が設けられていることにより、成型品２１の下面と筺体１の表面との間に、両面テープ２２の厚さに応じた空間（第３の空間）３３が設けられる。
【００３２】
つまり、空間３３は、上面が成型品２１の下面であり、下面が筺体１の表面であり、側面のうち３面が両面テープ２２における切り欠き２３の側面（内壁）である直方体状の形状の空間である。
【００３３】
図４に示すように、筺体１の表面には、凸形状のリブ１１が設けられている。そして、成型品２１は、筺体１の表面において、リブ１１の垂直面（側面）に成型品２１の切り欠き２５の垂直面（側面）が接するように両面テープ２２で貼付される。つまり、図４に示すように、成型品２１の凹部２４の端部の下側（つまり、切り欠き２５の垂直面）がリブ１１の側面に接する位置に、両面テープ２２で貼付される。そして、成型品２１の凹部２４の上側と、筺体１に設置された他部品１２との間には空間３０（前述したねじ目隠し板２と他部品１２との間の隙間の空間）が設けられる。
【００３４】
なお、リブ１１および切り欠き２５の垂直面はそれぞれ垂直でなくてもよく、互いに向かい合って接するようにそれぞれ構成されていればよい。
【００３５】
また、成型品２１の切り欠き２５の上面２６と、リブ１１の上面１５との間には空間３０に屈曲して接続された空間（第１の空間）３１が設けられている。すなわち、成型品２１は、リブ１１の上面１５との間に空間３１が形成される形状に切り欠かれている。そして、空間３１は、リブ１１の上面１５に沿った形状の空間である。なお、「リブ１１の上面１５に沿った形状の空間」とは、リブ１１の上面１５および後述する平面１６を底面とする空間をいう。また、空間３０，３１は、フィルム３の端部が通過可能な形状である。
【００３６】
成型品２１の切り欠き２５の上面２６と、成型品２１の凹部２４の端部の上側の垂直面とは、円弧状の曲面２７を介して接続されている。また、図４に示すように、成型品２１の切り欠き２５における垂直面と上面２６とは、円弧状の曲面２８を介して接続されている。そして、リブ１１において成型品２１の切り欠き２５における曲面２８に向かい合う位置には平面１６が設けられている。従って、フィルム３の端部に空間３１を容易に通過させ、後述する空間（第２の空間）３２に容易に侵入させることができる。
【００３７】
また、図４に示すように、成型品２１の切り欠き２５における垂直面と成型品２１の下面とは、円弧状の曲面２９を介して接続されている。従って、フィルム３の端部に後述する空間３２を容易に通過させ、空間３３に容易に侵入させることができる。
【００３８】
なお、成型品２１の切り欠き２５の上面２６と、成型品２１の凹部２４の端部の上側の垂直面とが、平面を介して接続されていてもよいし、成型品２１の切り欠き２５における垂直面と上面２６とが、平面を介して接続されていてもよい。また、リブ１１において成型品２１の切り欠き２５における曲面２８に向かい合う位置には曲面が設けられていてもよい。そのように構成されていても、フィルム３の端部に空間３１を容易に通過させ、後述する空間３２に容易に侵入させることができる。
【００３９】
また、成型品２１の切り欠き２５における垂直面と成型品２１の下面とが、平面を介して接続されていてもよい。そのように構成されていても、フィルム３の端部に後述する空間３２を容易に通過させ、空間３３に容易に侵入させることができる。
【００４０】
図５は、成型品２１と筺体１および他部品１２との間に設けられた空間３０に挿入されたフィルム３の端部が、空間３３まで挿入されて、筺体１から成型品２１を取り外す方法を説明する断面図である。なお、フィルム３は、厚さが１００〜２００μｍのＰＥＴ（Ｐｏｌｙｅｔｈｙｌｅｎｅ  ｔｅｒｅｐｈｔｈａｌａｔｅ）材等の薄い板材である。
【００４１】
図５に示すように、フィルム３は、成型品２１と他部品１２との間に設けられた空間３０に挿入されると、端部が空間３０を通過してリブ１１の上面および平面１３に沿って空間３１に侵入する。
【００４２】
さらに、フィルム３の端部が挿入され、成型品２１の切り欠き２５における曲面２８または切り欠き２５の垂直面に達すると、フィルム３の端部は、当該曲面２８または当該垂直面を押して、成型品２１を筺体１の表面に沿ってリブ１１から離れる方向に移動させる。そうすると、リブ１１の垂直面と、成型品２１の切り欠き２５における垂直面との間に空間３２が生じる。
【００４３】
従って、空間３２は、空間３１および空間３３に屈曲して接続され、成型品２１の切り欠き２５における垂直面に沿った形状の空間である。なお、「成型品２１の切り欠き２５における垂直面に沿った形状の空間」とは、成型品２１の切り欠き２５における垂直面を側面とする空間をいう。
【００４４】
フィルム３の端部は、生じた当該空間３２の奥に、成型品２１の切り欠き２５における垂直面に沿って侵入する。
【００４５】
さらに、フィルム３が挿入されると、当該フィルム３の端部は、空間３３に、成型品２１の曲面２９と下面とに沿って侵入する。図５に示すように、フィルム３の端部（具体的には、一端）が、空間３３に侵入した場合に、当該フィルム３は、空間３０，３１，３２，３３の接続形状に応じた曲面状になっている。具体的には、フィルム３は、空間３０と空間３１との間（成型品２１における曲面２７の近傍）で一方の面の方向に屈曲し、空間３１と空間３２との間（成型品２１における曲面２８の近傍）で他方の面の方向に屈曲し、空間３２と空間３３との間（成型品２１における曲面２９の近傍）で再び一方の面の方向に屈曲している。
【００４６】
図６は、曲面状に変形したフィルム３に生じる復元力を示す断面図である。図６に示すように、フィルム３には、曲面状から平面状に変形する復元力（反力）が生じる。具体的には、フィルム３の復元力は、成型品２１と接する部分（図６に示す例では、曲面２７，２９）をリブ１１から離れる方向に生じる。
【００４７】
当該復元力により、両面テープ２２によって筺体１に貼付されている成型品２１は、筺体１から剥離される。
【００４８】
以上に述べたように、本実施形態によれば、成型品２１と他部品１２との間に隙間が設けられ、当該隙間を利用して成型品２１を取り外すことができるので、成型品２１に溝や外部から視認されうる切り欠きなどを設ける必要がなく、電子機器１００のデザインの自由度を高め、美観を損ねずにねじ４やねじ穴１３を隠ぺいすることができる。
【００４９】
また、ねじ目隠し板２によって外部から隠ぺいされ、外観に露出しない部分に空間３１，３２，３３が設けられるので、電子機器１００のデザインの自由度を低下させない。
【００５０】
成型品２１に曲面２７，２８，２９が設けられ、リブ１１に平面１６が設けられているので、フィルム３の端部が容易に空間３３に侵入し、成型品２１や筺体１を傷つけることなく容易に筺体１から成型品２１を取り外すことができる。
【００５１】
次に、本発明の概要について説明する。図７は、本発明の筺体構造の概要を示す断面図である。
【００５２】
本発明による筺体構造は、結合手段によって筺体２０４と他の筺体とが互いに固定される筺体構造であって、突出部２０１と、隠ぺい手段２０２と、接着部材２０３とを備える。
【００５３】
突出部２０１は、筺体２０４に設けられ、隠ぺい手段２０２に接する面であって、筺体２０４の表面から立ち上がる面である側面と、隠ぺい手段２０２が接着部材２０３によって接着された場合に、隠ぺい手段２０２によって上方を覆われる部分を有する上面とを含む。隠ぺい手段２０２は、結合手段を覆う板状体である。接着部材２０３は、筺体２０４の表面に隠ぺい手段２０２を接着する。
【００５４】
そして、隠ぺい手段２０２は、突出部２０１の上面の上方に、第１の空間２０５を形成するように当該突出部２０１を覆う凸部２１０と、凸部２１０の下方に、突出部２０１の側面に当接する側面を有する切り欠き部２０８を含む。
【００５５】
凸部２１０は、隠ぺい手段２０２が接着部材２０３によって接着された場合に、当該凸部２１０の先端部と、筺体２０４または筺体２０４に設置された他の部品との間に、第１の空間２０５に屈曲して接続される空隙を形成するように設けられる。そして、隠ぺい手段２０２は、筺体２０４の表面に沿う方向に移動して、切り欠き部２０８の側面と突出部２０１の側面との間に、第１の空間２０５に屈曲して接続される第２の空間２０６を形成可能に、筺体２０４の表面に接着部材２０３によって接着される。
【００５６】
接着部材２０３には、側面に凹形状部が設けられ、当該凹形状部の内壁、隠ぺい手段２０２の底面および筺体２０４の表面に囲まれ、第２の空間２０６に屈曲して接続される第３の空間２０７が形成される。
【００５７】
隠ぺい手段２０２は、平面状への復元力を有する可撓性平面体２０９が空隙、第１の空間２０５および第２の空間２０６を介して第３の空間２０７に挿入された場合に、可撓性平面体２０９の平面状への復元力により筺体２０４から剥離可能に、接着部材２０３によって筺体２０４に接着される。
【００５８】
そのように構成された場合には、隠ぺい手段２０２や筺体２０４を傷つけることなく容易に筺体２０４から隠ぺい手段２０２を取り外すことができる。
【００５９】
また、上記の実施形態には、隠ぺい手段２０２が、可撓性平面体２０９が空隙を介して第１の空間２０５に挿入されて、可撓性平面体２０９の端部によって隠ぺい手段２０２における切り欠き部２０８の側面に筺体２０４の表面に沿う方向に力が加えられると、隠ぺい手段２０２が筺体２０４の表面に沿う方向に移動可能に、接着部材２０３によって筺体２０４の表面に接着される構成が開示されている。
【００６０】
そのように構成された場合には、可撓性平面体２０９を第２の空間２０６および第３の空間２０７に侵入させて、隠ぺい手段２０２や筺体２０４を傷つけることなく容易に筺体２０４から隠ぺい手段２０２を取り外すことができる。
【００６１】
また、上記の実施形態には、突出部２０１の上面と側面とは平面または曲面を介して接続され、隠ぺい手段２０２の凸部２１０の先端部と切り欠き部２０８の上面、切り欠き部２０８の上面と切り欠き部２０８の側面、および切り欠き部２０８の側面と隠ぺい手段２０２の下面とは、平面または曲面を介して接続されている構成が開示されている。
【００６２】
そのように構成された場合には、隠ぺい手段２０２や筺体２０４を傷つけることなく、容易に曲面体２０９を第２の空間２０６および第３の空間２０７に侵入させることができる。そして、隠ぺい手段２０２や筺体２０４を傷つけることなく容易に筺体２０４から隠ぺい手段２０２を取り外すことができる。
【００６３】
また、上記の実施形態には、接着部材２０３が、薄膜状の基材の両面に接着材が塗布された両面テープである構成が開示されている。そのように構成された場合には、基材の厚さによって、容易に第３の空間を形成することができる。また、上記の実施形態には、結合手段がねじであることが開示されている。
【産業上の利用可能性】
【００６４】
本発明は、結合手段によって筺体と筺体とが互いに固定される機器に適用可能である。
【符号の説明】
【００６５】
１  筺体
２  ねじ目隠し板
３  フィルム
４  ねじ
６  ねじ目隠しシール
７  ピンセット
１０  外装部材
１１  リブ
１２  他部品
１３  ねじ穴
１５，２６  上面
１６  平面
２０，２１  成型品
２２  両面テープ
２３，２５  切り欠き
２４  凹部
２７，２８，２９  曲面
３０，３１，３２，３３  空間
２０１  突出部
２０２  隠ぺい手段
２０３  接着手段
２０４  筺体
２０５  第１の空間
２０６  第２の空間
２０７  第３の空間
２０８  切り欠き部
２０９  可撓性平面体
２１０  凸部
【図１】
2011086849.tif 000003
【図２】
2011086849.tif 000004
【図３】
2011086849.tif 000005
【図４】
2011086849.tif 000006
【図５】
2011086849.tif 000007
【図６】
2011086849.tif 000008
【図７】
2011086849.tif 000009
【図８】
2011086849.tif 000010
【図９】
2011086849.tif 000011
【図１０】
2011086849.tif 000012